(57)【特許請求の範囲】
【請求項１】
測定対象機器である回転体と負荷装置との双方に加速度センサー機器と振動センサー機器を設け、前記測定対象機器のローターに回転パルスセンサー機器を設け、前記加速度センサー機器は、振動加速度を検出するための加速度センサーと、前記加速度センサーで検出した振動加速度信号をデジタル変換処理しそのデジタル信号を無線方式で計測器に伝送する無線伝送処理部とを有し、前記振動センサー機器は、測定対象機器である回転体と負荷装置との双方に設けられ、振動を検出するための振動センサーと、前記振動センサーで検出した振動信号をデジタル変換処理しそのデジタル信号を無線方式で計測器に伝送する無線伝送処理部とを有し、前記回転パルスセンサー機器は、回転数を検出するための回転パルス計と、回転パルス計で検出した回転パルス信号を無線方式で計測器に伝送する無線伝送処理部とを有し、前記加速度センサー機器、前記振動センサー機器及び回転パルスセンサー機器の無線伝送処理部に対し携帯端末から無線で測定指示を同時に送信し振動測定同時性を確保することを特徴とする振動測定システム。
【請求項２】
前記加速度センサー機器、前記振動センサー機器、前記回転パルスセンサー機器のそれぞれに、電波時計信号受信回路またはＧＰＳ受信回路を有し、電波時計から受信する時刻またはＧＰＳから受信する時刻に基づいて測定開始し振動測定同時性を確保することを特徴とする請求項１に記載の振動測定システム。
【請求項３】
前記加速度センサー機器、前記振動センサー機器、前記回転パルスセンサー機器のそれぞれに赤外線受信回路を有し、赤外線信号受信をタイミングとして振動測定を行い振動測定同時性を確保することを特徴とする請求項１に記載の振動測定システム。
【発明の詳細な説明】
【技術分野】
【０００１】
本発明は、回転体の振動変位を検出する振動測定システムに関する。
【背景技術】
【０００２】
回転体の振動変位を検出する振動測定システムとしては、タービン、発電機、電動機などのローターの回転中の振動変位を検出し、回転体の診断を行うようにしたものがある。その診断を行う場合に回転機の回転数が変動する場合でも、適切な診断しきい値を迅速に設定することができるようにしたものがある（例えば、特許文献１参照）。
【０００３】
また、振動変位のアンバランス成分を評価するにあたっては、振動位相を検出するようにしている。すなわち、回転体ローターのアンバランスを検出するには、ローター回転中の振動変位を検出し、その振動変位だけでなく振動各周波数毎の位相を検出する必要がある。特に位相を検出する場合にあっては、測定部位毎に測定タイミングがあっていなければならない。
【０００４】
そこで、従来では、測定対象機器について複数の測定ポイント全てにセンサーを取り付けた場合には、それら全てのセンサーで同時に振動測定できるように、測定器と全てのセンサーとを信号線（ケーブル）で繋いで測定を行っていた。
【０００５】
図３は従来の振動測定システムの構成図である。図３では、回転体として電動機１で負荷装置２を駆動するものを示している。電動機１に２個の加速度センサー１１ａ、１１ｂ、負荷装置２に２個の加速度センサー１１ｃ、１１ｄが取り付けられ、さらに、電動機１の軸受部に振動センサー１２ａ、負荷装置２の軸受部に振動センサー１２ｂが取り付けられ、ローターには回転パルス計１３が取り付けられている。そして、これら加速度センサー１１ａ〜１１ｄ、振動センサー１２ａ、１２ｂ、回転パルス計１３は、それぞれ信号線で計測器４のデータ収集ボックス５に接続され、データ収集ボックス５に接続されたパソコン６で計測信号を処理し診断できるようにしている。
【特許文献１】特開２００７−１０４１５号公報
【発明の開示】
【発明が解決しようとする課題】
【０００６】
しかし、従来の振動測定システムでは、測定対象機器について複数の測定ポイント全てにセンサー１１、１２、１３を取り付け、それら全てのセンサー１１、１２、１３から同時に振動測定を行う必要がある。そのため、測定器４と全てのセンサー１１、１２、１３とを信号線（ケーブル）で繋いで測定を行わなければならない。従って、振動の測定に際しての段取り作業やケーブルの設置などコストが高くなっていた。
【０００７】
本発明の目的は、各種センサーと測定器との間の結線を無くし、しかも各種センサーの振動測定同時性を確保できる振動測定システムを提供することである。
【課題を解決するための手段】
【０００８】
本発明の振動測定システムは、測定対象機器である回転体と負荷装置との双方に加速度センサー機器と振動センサー機器を設け、前記測定対象機器のローターに回転パルスセンサー機器を設け、前記加速度センサー機器は、振動加速度を検出するための加速度センサーと、前記加速度センサーで検出した振動加速度信号をデジタル変換処理しそのデジタル信号を無線方式で計測器に伝送する無線伝送処理部とを有し、前記振動センサー機器は、測定対象機器である回転体と負荷装置との双方に設けられ、振動を検出するための振動センサーと、前記振動センサーで検出した振動信号をデジタル変換処理しそのデジタル信号を無線方式で計測器に伝送する無線伝送処理部とを有し、前記回転パルスセンサー機器は、回転数を検出するための回転パルス計と、回転パルス計で検出した回転パルス信号を無線方式で計測器に伝送する無線伝送処理部とを有し、前記加速度センサー機器、前記振動センサー機器及び回転パルスセンサー機器の無線伝送処理部に対し携帯端末から無線で測定指示を同時に送信し振動測定同時性を確保することを特徴とする。
【発明の効果】
【０００９】
本発明によれば、各種センサーと測定器との間の結線を無くし、しかも各種センサーの振動測定同時性を確保でき、振動測定効率向上を図ることが可能になる。
【発明を実施するための最良の形態】
【００１０】
図１は本発明の実施の形態に係わる振動測定システムの構成図である。加速度センサー機器１４は、回転体の振動加速度を検出し無線方式で計測器４に伝送するものであり、振動加速度を検出するための加速度センサー１１と、加速度センサー１１で検出した振動加速度信号をデジタル変換処理しそのデジタル信号を無線方式で計測器４に伝送する無線伝送処理部１５とを有している。
【００１１】
振動センサー機器１６は、回転体の振動を検出し無線方式で計測器４に伝送するもので、振動を検出するための振動センサー１２と、振動センサー１２で検出した振動信号をデジタル変換処理しそのデジタル信号を無線方式で計測器４に伝送する無線伝送処理部１５とを有している。同様に、回転パルスセンサー機器１７は、回転体の回転数を検出し無線方式で計測器４に伝送するものであり、回転数を検出するための回転パルス計１３と、回転パルス計１３で検出した回転パルス信号を無線方式で計測器に伝送する無線伝送処理部１５とを有している。
【００１２】
計測器４では、加速度センサー機器１４、振動センサー機器１６、回転パルスセンサー機器１７からの計測信号をデータ収集ボックス５に入力し、データ収集ボックス５に接続されたパソコン６で計測信号を処理し診断する。また、携帯端末（ＰＤＡ）１８は、加速度センサー機器１４、振動センサー機器１６、回転パルスセンサー機器１７に対し、信号の測定条件や測定タイミング等を設定するものである。携帯端末１８は送受信モジュールを有し、全てのセンサー１１、１２、１３の測定タイミングの同期を取る。また、携帯端末１８には測定・解析ソフトウェアが実装され、測定対象機器である回転体の容量・回転数に応じて振動レベルの異常有無を自動判定する機能を有している。ここで、加速度センサーを振動音響センサーに代え、振動音響計測を複数個の無線方式で同期を取りながら計測することも可能である。
【００１３】
図２は無線伝送処理部１５の構成図である。無線伝送処理部１５は、加速度センサー１１、振動センサー１２、回転パルス計１３などのセンサー１９で計測された計測信号を前処理器２０で入力する。前処理器２０は、センサー１９から得た電気信号に対してエイリアシングフィルター処理を行う。そして、信号処理器２１では、センサーから得た電気信号の感度調整を行う。すなわち、検出する振動信号のレベルに応じて信号検出レンジ（電圧）、離散化周期、測定周波数帯域の調整機能を有し、測定対象毎に周波数帯域を調整する。例えば電動機の軸受けであれば１ｋＨｚ以上の帯域を通過させ、同じくアンバランスなど軸振動に関しては逆に１ｋＨｚ以下の帯域のみ通過させる処理を行う。Ａ／Ｄ変換器２６では、信号処理器２１で処理された信号をデジタル化しメモリ２２に格納する。
【００１４】
また、ＣＰＵ２３では計測した振動又は音の計測データに関して、その実効値やピーク値などの時間領域パラメータの算出と周波数解析を行う。メモリ２２では、測定データに加えて、測定対象機器である回転体の情報とＣＰＵ２３で求めた時間・周波数領域パラメータを１つのファイルとして記録する。通信モジュール２４は、メモリ２２に格納されたデータを計測器４に無線で送信する。タイマー初期化モジュール２５は、ＣＰＵ２３に内蔵されたタイマー回路を初期化し、全てのセンサー１１、１２、１３の測定タイミングの同期を取るために使用される。
【００１５】
次に動作を説明する。例えば、振動測定については、振動信号を検出する振動センサー１２を電動機１の軸受部に取り付け軸受部の振動を検出する。このとき振動センサー１２が検出した振動音響信号は、無線伝送処理部１５の前処理器２０及び信号処理器２１を経由し、Ａ／Ｄ変換器２６でＡ／Ｄ変換され、デジタル信号としてメモリ２２に記憶され通信モジュール２４により計測器４に送信される。
【００１６】
この振動測定について、サンプリングレート並びに開始タイミングについてはＣＰＵ２３に作用するソフトウェアで行う。予め測定器マスターである携帯端末１８から振動センサー機器１６に対して条件設定とタイマー初期化指令を送ることで調整する。
【００１７】
次に、タイマー初期化方法について説明する。加速度センサー機器１４、振動センサー機器１６、回転パルスセンサー機器１７の無線伝送処理部１５のＣＰＵ２３に内蔵したそれぞれのタイマー回路に対し、予め有線で全てを接続し、タイマー回路をそれぞれ調整しておいた後に、同時性が確保された状態で振動計測を行う。
【００１８】
また、加速度センサー機器１４、振動センサー機器１６、回転パルスセンサー機器１７の無線伝送処理部１５のＣＰＵ２３に内蔵したそれぞれのタイマー回路に対し、携帯端末１８からタイマー回路の初期化を行う。初期化方法は以下の通りである。
【００１９】
（１）電波時計受信による方法
図２に示した無線伝送処理部１５のタイマー初期化モジュール２５に電波時計受信回路を内蔵し、任意の時刻でタイマー回路を初期化するソフトウェアを用意する。このソフトウェアは、図２のＣＰＵ２３上で動作し、マスターからの初期化コマンドに基づいてＣＰＵ２３内部に組み込まれたタイマー回路を初期化すると共に測定時刻をセットする。そして、設定された時刻になったことを確認した後測定を開始する。これを複数のセンサー１９の全てに行うことで、センサー間の測定同期を取ることができる。これにより、測定開始タイミングを調整された各々のセンサー１９で振動測定行う。
【００２０】
（２）赤外線受信による方法
図２に示した無線伝送処理部１５のタイマー初期化モジュール２５に赤外線受信モジュールを内蔵させる。この場合、各センサー１９に赤外線受信部を用意する。これに対して測定毎に開始信号を送り各センサーに測定指示を行う。
【００２１】
（３）ＧＰＳ（Global Positioning System）応用
各センサー１９それぞれにＧＰＳ信号受信回路を内蔵し、マスターから測定時刻を指示する。各センサー１９はその時刻を検知し、振動測定や回転パルスの計測を行う。この際、マスターからは各ノードに対してＣＰＵ２３内のカレンダー用タイマーに対して時刻あわせ信号を用意する。これにより開始と終了タイミングとの同期を取ることが可能になる。
【００２２】
本発明の実施の形態によれば、電動機など回転体のアンバランスを評価する際に、複数のセンサーと測定器とを無線で接続するので、ワイヤード結線する必要がなくなり、振動測定効率向上を図ることが可能になる。すなわち、携帯端末に送受信モジュールを用意し、測定タイミングの同期を取る手段を用意するので、センサーと測定器との間の結線を無くし、これにより測定効率を大幅に改善できる。
【図面の簡単な説明】
【００２３】
【図１】本発明の実施の形態に係わる振動測定システムの構成図。
【図２】本発明の実施の形態に係わる無線伝送処理部の構成図。
【図３】従来の振動測定システムの構成図。
【符号の説明】
【００２４】
１…電動機、２…負荷装置、４…計測器、５…データ収集ボックス、６…パソコン、７…、８…、９…、１０…、１１…加速度センサー、１２…振動センサー、１３…回転パルス計、１４…加速度センサー機器、１５…無線伝送処理部、１６…振動センサー機器、１７…回転パルスセンサー機器、１８…携帯端末、１９…センサー、２０…前処理器、２１…信号処理器、２２…メモリ、２３…ＣＰＵ、２４…通信モジュール、２５…タイマー初期化モジュール、２６…Ａ／Ｄ変換器
【図１】
0004966114.tif 000002
【図２】
0004966114.tif 000003
【図３】
0004966114.tif 000004